(57)【特許請求の範囲】
【請求項１】
入賞した遊技球を遊技盤の裏面へ案内するための開口と、前記開口を挟む一対の構成からなり遊技球を前記開口へ案内する球受面を形成した傾動可能な可動翼片とを有する入賞装置を備える遊技機であって、
前記一対の可動翼片の一方に形成された前記球受面のほぼ全面に、前記一方の可動翼片の先端側から基部側に向かってガラス板側から遊技盤側へ斜めに形成された案内部と、他方の可動翼片に形成された前記球受面のほぼ全面に、前記他方の可動翼片の先端側から基部側に向かって遊技盤側からガラス板側へ斜めに形成された案内部とを備えたことを特徴とする遊技機。
【請求項２】
前記球受面に形成された前記案内部は溝であることを特徴とする請求項１に記載の遊技機。
【請求項３】
前記球受面に形成された前記案内部は突起部であることを特徴とする請求項１に記載の遊技機。
【請求項４】
前記球受面の幅は、遊技球の直径より大きいことを特徴とする請求項１から請求項３のいずれか１に記載の遊技機。
【請求項５】
前記一対の可動翼片の正面を対称にしたことを特徴とする請求項１から請求項４のいずれか１に記載の遊技機。
【請求項６】
前記一対の可動翼片を単一の駆動源によりリンク機構を介して開閉することを特徴とする請求項１から請求項５のいずれか１に記載の遊技機。
【請求項７】
入賞した遊技球を遊技盤の裏面へ案内するための開口と、前記開口を挟む一対の構成からなり遊技球を前記開口へ案内する球受面を形成した傾動可能な可動翼片とを有する入賞装置を備える遊技機であって、
前記一対の可動翼片の一方にのみ、前記球受面のほぼ全面に、前記一方の可動翼片の先端側から基部側に向かってガラス板側から遊技盤側へ斜めに形成された案内部、または、前記一方の可動翼片の先端側から基部側に向かって遊技盤側からガラス板側へ斜めに形成された案内部を備えたことを特徴とする遊技機。
【発明の詳細な説明】
【０００１】
【発明の属する技術分野】
本発明は、パチンコ機、アレンジボール等の遊技機に関するものである。
【０００２】
【従来の技術】
遊技機（例えばパチンコ機）では、遊技球を入賞させるための可変入賞装置が遊技盤面上に配設されている。ここで、図１２〜図１４を参照して従来の可変入賞装置の一例を示す。図１２は、可変入賞装置における遊技球の流れを示す説明図であり、図１３は、可変入賞装置の動作を示す説明図である。また、図１４（Ａ）は、可変入賞装置の構成を示す説明図であり、図１４（Ｂ）は、図１３（Ｂ）の１４Ｂ−１４Ｂ断面図であり、図１４（Ｃ）は、図１３（Ｃ）の１４Ｃ−１４Ｃ断面図である。
【０００３】
図１４（Ａ）に示すように、可変入賞装置１５０には、入賞した遊技球を遊技盤の裏面へ案内するための開口１５２と、この開口１５２の左右両側に傾動可能に設けられている一対の可動翼片（左可動翼片１５４および右可動翼片１５６）と、一対の可動翼片を開閉させるソレノイド１６０とが備えられている。この可変入賞装置１５０は、一対の可動翼片を開閉させることにより、遊技球の入賞の難易度を変化させている。
【０００４】
上述した構成により、入賞した遊技球は可変入賞装置１５０によってパチンコ機の裏面側に送られる。つまり、一対の可動翼片が開いている場合、図１２（Ａ）に示すように、遊技球９０および遊技球９４（遊技球９６）がそれぞれ入賞口および左可動翼片１５４（右可動翼片１５６）から進入し、点線矢印の示す経路を通過してパチンコ機の裏面側に送られる。一方、一対の可動翼片が閉じている場合、図１２（Ｂ）に示すように、遊技球９０が入賞口から進入し、点線矢印の示す経路を通過してパチンコ機の裏面側に送られる。
【０００５】
ここで、可変入賞装置１５０の開放時に多数の遊技球が入賞すると、遊技店側で賞球の調整を行うことが難しくなる。このような問題が発生しないように可変入賞装置１５０を設計してある。すなわち、可変入賞装置１５０の開口１５２を遊技球が１個または２個入賞できる程度の大きさにすることにより、入賞可能な遊技球数を制限している。
【０００６】
【発明が解決しようとする課題】
上述したように、可変入賞装置１５０の開口１５２の大きさは遊技球が１個または２個入賞できる程度に設計してある。このため、一対の可動翼片が開いた際に、図１３（Ａ）に示すように、左可動翼片１５４および右可動翼片１５６へそれぞれ遊技球９４および遊技球９６が同時に進入した際に、図１３（Ｂ）および図１４（Ｂ）に示すように、開口１５２に案内する前に一対の可動翼片が閉じ始めると、左可動翼片１５４および右可動翼片１５６を同時に傾動させているため、図１３（Ｃ）および図１４（Ｃ）に示すように、遊技球９４および遊技球９６を同時に挟み込み、開口１５２に案内させることができない状態を発生させ、球詰まりを引き起こすことがしばしばあった。
【０００７】
本発明は、上述した課題を解決するためになされたものであり、その目的とするところは、球詰まりを防止することができる入賞装置を備えた遊技機を提供することを目的とする。
【０００８】
【課題を解決するための手段、および発明の作用・効果】
上記した目的を達成するため、請求項１の発明では、入賞した遊技球を遊技盤の裏面へ案内するための開口と、前記開口を挟む一対の構成からなり遊技球を前記開口へ案内する球受面を形成した傾動可能な可動翼片とを有する入賞装置を備える遊技機であって、前記一対の可動翼片の一方に形成された前記球受面のほぼ全面に、前記一方の可動翼片の先端側から基部側に向かってガラス板側から遊技盤側へ斜めに形成された案内部と、他方の可動翼片に形成された前記球受面のほぼ全面に、前記他方の可動翼片の先端側から基部側に向かって遊技盤側からガラス板側へ斜めに形成された案内部とを備えたことを技術的特徴とする。
【０００９】
請求項１の遊技機では、可動翼片の球受面にそれぞれ遊技盤側へ案内する案内部とガラス板側へ案内する案内部とが形成されている。
つまり、一対の可動翼片が開いた際に、各可動翼片へ複数の遊技球が同時に進入しても、これらの遊技球が球受面に形成された遊技盤側へ案内する案内部およびガラス板側へ案内する案内部に沿って流下することによって、案内部が遊技球同士を遊技盤とガラス板との間で偏位するように誘導させる。これにより、複数の遊技球が入賞した際に可動翼片が閉じ始めても、遊技盤側へ案内する案内部およびガラス板側へ案内する案内部によって、遊技球同士が偏位した状態で挟まれるため、開口へスムーズに案内させることができる。また、可動翼片に遊技球を挟み込んでも、各遊技球にかかる力の方向は互いに異なっているため、両可動翼片に挟まれて遊技球に力が加えられることにより、開口へスムーズに案内させることが可能である。したがって、球詰まりの発生を防止することができる。
【００１０】
請求項２の発明では、請求項１に記載の遊技機において、前記球受面に形成された前記案内部は溝であることを技術的特徴とする。
【００１１】
請求項２の遊技機では、球受面に形成された案内部が溝であるため、溝に沿って各遊技球は遊技盤側とガラス板側とにそれぞれ誘導され、遊技盤とガラス板との間で偏位した状態になる。このため、各遊技球を開口へスムーズに案内させることができる。
【００１２】
請求項３の発明では、請求項１に記載の遊技機において、前記球受面に形成された前記案内部は突起部であることを技術的特徴とする。
【００１３】
請求項３の遊技機では、球受面に形成された案内部が突起部であるため、突起部に沿って各遊技球は遊技盤側とガラス板側とにそれぞれ誘導され、遊技盤とガラス板との間で偏位した状態になる。このため、各遊技球を開口へスムーズに案内させることができる。
【００１４】
請求項４の発明では、請求項１から請求項３のいずれか１に記載の遊技機において、前記球受面の幅は、遊技球の直径より大きいことを技術的特徴とする。
【００１５】
請求項４の遊技機では、球受面の幅が遊技球の直径よりも大きいため、遊技球を球受面の幅方向に自由に移動させることができる。これにより、遊技球同士を遊技盤とガラス板との間で偏位させることが可能であるため、各遊技球を開口へスムーズに案内させることができる。
【００１６】
請求項５の発明では、請求項１から請求項４のいずれか１に記載の遊技機において、前記一対の可動翼片の正面を対称にしたことを技術的特徴とする。
【００１７】
請求項５の遊技機では、一対の可動翼片の正面を互いに対称にしているため、開口を中心とした左右対称な位置に一対の可動翼片を取り付けることができる。このため、球受面に形成された案内部以外の入賞装置の構成部材を左右対称に形成することが可能となるため、入賞装置のデザインの調和を採ることができる。
【００１８】
請求項６の発明では、請求項１から請求項５のいずれか１に記載の遊技機において、前記一対の可動翼片を単一の駆動源によりリンク機構を介して開閉することを技術的特徴とする。
【００１９】
請求項６の遊技機では、一対の可動翼片を単一の駆動源により開閉させている。つまり、球受面に形成された案内部が互いに非対称であることにより、同時に各可動翼片の開閉を行いながら球詰まりを防ぐことができるため、単一の駆動源を使用することが可能である。これにより、製造コストを安価にすることが可能であるとともに、生産性を向上させることができる。
【００２０】
請求項７では、入賞した遊技球を遊技盤の裏面へ案内するための開口と、前記開口を挟む一対の構成からなり遊技球を前記開口へ案内する球受面を形成した傾動可能な可動翼片とを有する入賞装置を備える遊技機であって、前記一対の可動翼片の一方にのみ、前記球受面のほぼ全面に、前記一方の可動翼片の先端側から基部側に向かってガラス板側から遊技盤側へ斜めに形成された案内部、または、前記一方の可動翼片の先端側から基部側に向かって遊技盤側からガラス板側へ斜めに形成された案内部を備えたことを技術的特徴とする。
【００２１】
請求項７の遊技機では、１方の可動翼片の球受面にのみ遊技盤側又はガラス板側へ案内する案内部が形成されている。
つまり、一対の可動翼片が開いた際に、各可動翼片へ複数の遊技球が同時に進入しても、一方の遊技球が球受面に形成された遊技盤側又はガラス板側へ案内する案内部に沿って流下することによって、遊技球同士を遊技盤とガラス板との間で偏位するように誘導させる。これにより、複数の遊技球が入賞した際に可動翼片が閉じ始めても、遊技盤側又はガラス板側へ案内する案内部によって、遊技球同士が偏位した状態で挟まれるため、開口へスムーズに案内させることができる。また、可動翼片に遊技球を挟み込んでも、各遊技球にかかる力の方向は互いに異なっているため、両可動翼片に挟まれて遊技球に力が加えられることにより、開口へスムーズに案内させることが可能である。したがって、球詰まりの発生を防止することができる。
【００２２】
【発明の実施の形態】
以下、この発明に係る遊技機の実施形態について図を参照して説明する。なお、以下の実施形態では、この発明に係る遊技機として、パチンコ機を例に挙げて説明する。
先ず、第１実施形態のパチンコ機の主要構成について、本実施形態のパチンコ機の正面図である図１を参照して説明する。
【００２３】
図１に示すように、パチンコ機１０には、前枠１２が外枠１１に上下一対のヒンジ１４で開閉可能に備えられており、その前枠１２には、ガラス枠１６が開閉可能に取り付けられている。ガラス枠１６には、ガラス板１７が取り付けられており、ガラス枠１６の上方には、前方へ突出部１６ａが形成されている。ガラス枠１６の裏面側には、遊技盤１３が配置されており、ガラス枠１６の右側には、ガラス枠１６開閉用の鍵を差し込む鍵穴１５が設けられている。
【００２４】
ガラス枠１６の下には、前面板１８が設けられており、この前面板１８の左側上部には、賞球が導出される上皿賞球排出口１９が形成されており、この上皿賞球排出口１９の排出側には、その上皿賞球排出口１９から排出された賞球を溜めておくための上皿２０が取り付けられている。上皿２０の前面には、遊技球を貸し出すための貸球ボタン４７と、プリペードカードを返却するための返却ボタン４６とが設けられている。上皿２０の下方には、その上皿２０で収容しきれなくなった賞球を排出するための下皿賞球排出口３１が形成されており、この下皿賞球排出口３１の排出側には、その下皿賞球排出口３１から排出された賞球を溜めておくための下皿３２が設けられている。下皿３２の底部には、球箱（図示せず）に遊技球を落とすための下皿球抜きレバー３３が設けられている。ここで、パチンコ機１０では、上述した前枠１２側にガラス枠１６、上皿２０および下皿３２が取り付けられており、前枠１２と一体に開閉されるように構成されている。
【００２５】
下皿３２の右方には、上皿２０から供給された遊技球を遊技盤１３へ発射する発射モータ（図示せず）を操作するための発射ハンドル４３が回転可能に取り付けられており、その発射ハンドル４３には、発射途中で発射を停止するための発射停止ボタン（図示せず）が設けられている。また、上皿２０の右方には、上皿２０に溜められた賞球を下皿３２へ抜くための上皿球抜きレバー２８がスライド可能に取り付けられている。
【００２６】
次に、第１実施形態の遊技盤の構成について、本実施形態の遊技盤の正面図である図２を参照して説明する。
遊技盤１３は、その前面側に、ガイドレール（外レール１２１および内レール１２２）で区画される円形の遊技領域内に風車１２３や普通図柄作動ゲート１２４等の各種遊技部材が設けられている。ガイドレール１２１の外側にはコーナーランプ１２５が設けられている。
【００２７】
遊技盤１３の遊技領域には、略中央に普通図柄始動記憶１２６、普通図柄表示部１２７、特別図柄表示部１２８および特別図柄始動記憶１２９が一体的に形成されたセンターケース１３０が設けられている。センターケース１３０の下方には入賞口１３７をもつ可変入賞装置５０（普通電動役物）が設けられ、可変入賞装置５０の下方には大入賞口１３２をもつ大入賞装置１３３（特別電動役物）が設けられている。また、センターケース１３０の左斜め下方向には左袖入賞装置１３４が設けられ、右斜め下方向には右袖入賞装置１３５が設けられている。
【００２８】
一方、遊技盤１３の裏面側には、各種入賞口から送られる遊技球（入賞球）やアウト口１３６から流下する遊技球（アウト球）を回収して裏機構盤の球経路へ排出する集合経路（図示省略）が形成されている。
【００２９】
次に、第１実施形態の可変入賞装置の構成について、本実施形態の可変入賞装置の正面図である図３を参照して説明する。
図３（Ａ）は、一対の可動翼片が開いている状態を示す正面図であり、図３（Ｂ）は、一対の可動翼片が閉じている状態を示す正面図である。
【００３０】
図３（Ａ）および図３（Ｂ）に示すように、可変入賞装置５０は、その略中央の裏面側に開口５２が形成されており、開口５２を中心として左右方向両側に一対の可動翼片である左可動翼片５４および右可動翼片５６が設けられている。左可動翼片５４の正面と右可動翼片５６正面とは互いに対称に形成されており、左可動翼片５４の上面には後述する遊技球を開口５２へ誘導する案内部８２（図５参照）を有する球受面５５が形成されており、右可動翼片５６の上面には後述する遊技球を開口５２へ誘導する案内部８４（図５参照）を有する球受面５７が形成されている。また、開口５２の裏面側には、後述する電磁式のソレノイド６０が設けられている。
【００３１】
次に、上述したソレノイドの構成について、本実施形態のソレノイドの斜視図である図４を参照して説明する。
図４（Ａ）は、可動翼片が開いている状態を示す斜視図であり、図４（Ｂ）は、可動翼片が閉じている状態を示す斜視図である。
【００３２】
図４（Ａ）および図４（Ｂ）に示すように、左可動翼片５４の表面側（正面）の下方には傾動の中心軸である左可動翼片支軸７２が形成されており、右可動翼片５６の表面側（正面）の下方には傾動の中心軸である右可動翼片支軸７４が形成されている。左可動翼片支軸７２および右可動翼片支軸７４は可変入賞装置５０（図３参照）に固定されている。左可動翼片５４の裏面側の下方に位置するとともに左可動翼片支軸７２の内側には、左可動翼片ロッド７６が設けられており、右可動翼片５６の裏面側の下方に位置するとともに右可動翼片支軸７４の内側には、右可動翼片ロッド７８が設けられている。左可動翼片ロッド７６および右可動翼片ロッド７８はカム支軸６８が設けられているカム６６と接続されており、カム６６は円盤６４と接続されている。円盤６４の裏面中央の位置にはソレノイドロッド６２が設けられており、ソレノイドロッド６２の裏面方向の端部はソレノイド６０に内蔵されているばね（図示省略）に接続されている。
【００３３】
このような構成により、ソレノイドロッド６２が前後方向に移動すると、この移動に伴い、円盤６４は前後方向に移動する。円盤６４の移動により、カム６６はカム支軸６８を中心として傾動を行う。カム６６の傾動に対応して、左可動翼片ロッド７６と右可動翼片ロッド７８とは同時に上下方向に移動する。この移動により、左可動翼片５４および右可動翼片５６はそれぞれ左可動翼片支軸７２および右可動翼片支軸７４を中心として左右対称に傾動を行う。
【００３４】
次に、可動翼片の上面に形成されている球受面について、図５を参照して説明する。
球受面の構成を示す説明図である図５に示すように、左可動翼片５４の上面に形成されている球受面５５のほぼ全面に４本の溝８６からなる案内部８２が設けられており、右可動翼片５６の上面に形成されている球受面５７のほぼ全面に４本の溝８８からなる案内部８４が設けられている。溝８６は、左可動翼片５４の先端側５４ａから基部側５４ｂに向かって表面（ガラス板）側から裏面（遊技盤）側へ斜めに形成されており、溝８８は、右可動翼片５６の先端側５６ａから基部側５６ｂに向かって裏面側から表面側へ斜めに形成されている。
【００３５】
このような構成により、案内部８２では、遊技球が溝８６を通過する際、この溝８６に沿って流下するため、球受面５５上の遊技球は裏面（遊技盤１３）側に誘導される。一方、案内部８４では、遊技球が溝８８を通過する際、この溝８８に沿って流下するため、球受面５７上の遊技球は表面（ガラス板１７）側に誘導される。
なお、球受面５５および球受面５７は、それぞれの幅が遊技球の直径より大きくなるように形成されている。
【００３６】
可変入賞装置における遊技球の流れについて、図６〜図８を参照して説明する。
図６（Ａ）、（Ｂ）および図７（Ａ）は、図３（Ａ）に示す６Ａ−６Ａ断面図であり、図７（Ｂ）は、図３（Ｂ）に示す７Ｂ−７Ｂ断面図である。また、図８は、図７（Ｂ）に示す８Ｂ−８Ｂ縦断面図である。
【００３７】
一対の可動翼片が開いている際に、図６（Ａ）に示すように、可変入賞装置５０の左右方向両側から遊技球９４および遊技球９６がそれぞれ同時に進入すると、球受面５５および球受面５７には二点鎖線矢印方向に誘導可能に溝８６および溝８８がそれぞれ形成されていることにより、図６（Ｂ）に示すように、球受面５５は遊技球９４を裏面（遊技盤１３）側に誘導し、球受面５７は遊技球９６を表面（ガラス板１７）側に誘導する。図７（Ａ）に示すように、遊技球９４および遊技球９６が入賞した際に左可動翼片５４および右可動翼片５６が閉じ始めると、遊技球９４と遊技球９６とは遊技盤１３とガラス板１７との間で偏位しているため、図７（Ｂ）および図８に示すように、左可動翼片５４と右可動翼片５６とは遊技球９４および遊技球９６をずらした状態で挟む。挟まれた遊技球９４および遊技球９６は互いにずれて開口５２へ進入する。
【００３８】
上述した構成により、一対の可動翼片が開いた際に、左可動翼片５４および右可動翼片５６へ遊技球９４および遊技球９６が同時に進入しても、これらの遊技球は球受面５５に形成された遊技盤１３側へ案内する溝８６および球受面５７に形成されたガラス板１７側へ案内する溝８８に沿って流下させることにより、溝８６および溝８８が遊技球同士を遊技盤１３とガラス板１７との間で偏位するように誘導させる。これにより、遊技球９４および遊技球９６が入賞した際に左可動翼片５４および右可動翼片５６が閉じ始めても、遊技盤１３側へ案内する溝８６およびガラス板１７側へ案内する溝８８によって、遊技球９４および遊技球９６が遊技盤１３側とガラス板１７側との間で偏位した状態で挟まれる。これにより、遊技球９４および遊技球９６を開口５２へスムーズに案内させることができる。また、左可動翼片５４および右可動翼片５６に遊技球９４および遊技球９６を挟み込んでも、遊技球９４にかかる力の方向は遊技盤１３側に向いており、遊技球９６にかかる力の方向はガラス板１７側に向いていることにより、それぞれの力の方向は互いに異なっている。このため、左可動翼片５４および右可動翼片５６に挟まれて遊技球に力が加えられることにより、遊技球同士は遊技盤１３側とガラス板１７側との間で偏位した状態になる。これにより、遊技球９４および遊技球９６を開口５２へスムーズに案内させることが可能である。したがって、球詰まりの発生を防止することができる。
【００３９】
また、球受面５５および球受面５７の幅が遊技球の直径よりも大きいため、遊技球９４および遊技球９６をそれぞれ球受面５５および球受面５７の幅方向に自由に移動させることができる。これにより、遊技球９４および遊技球９６を遊技盤１３とガラス板１７との間で偏位した状態にすることが可能であるため、遊技球９４および遊技球９６を開口５２へスムーズに入賞させることができる。
【００４０】
左可動翼片５４および右可動翼片５６の正面を互いに対称にしているため、球受面５５に形成されている溝８６および球受面５７に形成されている溝８８以外の可変入賞装置５０の構成部材を左右対称に形成することが可能となり、可変入賞装置５０のデザインの調和を採ることができる。
【００４１】
球受面５５に形成された溝８６および球受面５７に形成された溝８８は互いに非対称であることにより、単一のソレノイド６０を使用し、同時に左可動翼片５４および右可動翼片５６の開閉を行いながら球詰まりを防ぐことができる。これにより、製造コストを安価にすることが可能であるとともに、生産性を向上させることができる。
【００４２】
なお、第１実施形態では、球受面５５に遊技盤１３側へ案内する溝８６を形成し、球受面５７にガラス板１７側へ案内する溝８８を形成している。ここで、それぞれの球受面上にある各遊技球を互いに異なる方向に誘導させればよいため、例えば、左可動翼片５４の球受面５５に溝を形成し、右可動翼片５６の球受面５７を溝を有しない平坦面にしてもよい。
【００４３】
次に、図９を参照して本発明の第２実施形態に係るパチンコ機の可変入賞装置について説明する。
第２実施形態に係る可変入賞装置の構成は、上述した第１実施形態とほぼ同様であり、球受面に遊技盤側へ案内する案内部およびガラス板側へ案内する案内部をそれぞれ形成している。但し、第１実施形態では、案内部は溝であるのに対して、第２実施形態では、案内部は突起部である。なお、第２実施形態において、第１実施形態と同じ構成については、符号を等しくしてその詳細な説明を省略する。
【００４４】
第２実施形態の可動翼片の構成を示す斜視図である図９（Ａ）に示すように、左可動翼片５４の上面には後述する案内部１０２を有する球受面５５が形成されており、右可動翼片５６の上面には後述する案内部１０４を有する球受面５７が形成されている。左可動翼片５４の表面側（正面）の下方には傾動の中心軸である左可動翼片支軸７２が形成されており、右可動翼片５６の表面側（正面）の下方には傾動の中心軸である右可動翼片支軸７４が形成されている。左可動翼片支軸７２および右可動翼片支軸７４は可変入賞装置５０（図３参照）に固定されている。
【００４５】
次に、第２実施形態の可動翼片の上面に形成されている球受面について、図９（Ｂ）を参照して説明する。
球受面の構成を示す説明図である図９（Ｂ）に示すように、左可動翼片５４の上面に形成されている球受面５５のほぼ全面に４本の半円柱状突起部１０６からなる案内部１０２が設けられており、右可動翼片５６の上面に形成されている球受面５７のほぼ全面に４本の半円柱状突起部１０８からなる案内部１０４が設けられている。半円柱状突起部１０６は、左可動翼片５４の先端側５４ａから基部側５４ｂに向かって表面（ガラス板）側から裏面（遊技盤）側へ斜めに形成されている。また、半円柱状突起部１０８は、右可動翼片５６の先端側５６ａから基部側５６ｂに向かって裏面側から表面側へ斜めに形成されている。
【００４６】
このような構成により、案内部１０２では、遊技球が半円柱形状突起部１０６を通過する際、この半円柱形状突起部１０６の縁に沿って流下するため、球受面５５上の遊技球は裏面（遊技盤１３）側に誘導される。一方、案内部１０４では、遊技球が半円柱形状突起部１０８を通過する際、この半円柱形状突起部１０８の縁に沿って流下するため、球受面５７上の遊技球は表面（ガラス板１７）側に誘導される。
【００４７】
第２実施形態では、球受面５５には半円柱状突起部１０６が形成され、球受面５７には半円柱状突起部１０８が形成されているため、各遊技球は半円柱状突起部１０６および半円柱状突起部１０８に沿って遊技盤１３側とガラス板１７側とにそれぞれ誘導され、遊技盤１３とガラス板１７との間で偏位した状態になる。このため、各遊技球を開口５２へスムーズに案内させることができる。
【００４８】
次に、図１０および図１１を参照して本発明の第２実施形態の改変例にかかるパチンコ機の可変入賞装置について説明する。
図１０（Ａ）は、第２実施形態の可動翼片の概略を示す説明図であり、図１０（Ｂ）は、第２実施形態の改変例の可動翼片の概略を示す説明図である。また、図１１（Ａ）は、第２実施形態の改変例の可動翼片の構成を示す斜視図であり、図１１（Ｂ）は、第２実施形態の改変例の球受面の構成を示す説明図である。
【００４９】
第２実施形態の改変例にかかる可変入賞装置の構成は、上述した第２実施形態とほぼ同様であり、突起部からなる案内部を球受面に形成している。但し、図１０（Ａ）に示すように、第２実施形態の突起部が半円柱形状であるのに対して、改変例では、図１０（Ｂ）に示すように、半球形状の突起部を用いている。なお、第２実施形態の改変例において、第１実施形態と同じ構成については、符号を等しくしてその詳細な説明を省略する。
【００５０】
図１１（Ａ）に示すように、左可動翼片５４の上面には後述する案内部１１２を有する球受面５５が形成されており、右可動翼片５６の上面には後述する案内部１１４を有する球受面５７が形成されている。左可動翼片５４の表面側（正面）の下方には傾動の中心軸である左可動翼片支軸７２が形成されており、右可動翼片５６の表面側（正面）の下方には傾動の中心軸である右可動翼片支軸７４が形成されている。左可動翼片支軸７２および右可動翼片支軸７４は可変入賞装置５０（図３参照）に固定されている。
【００５１】
次に、第２実施形態改変例の可動翼片の上面に形成されている球受面について、図１１（Ｂ）を参照して説明する。
図１１（Ｂ）に示すように、左可動翼片５４の上面に形成されている球受面５５のほぼ全面に６個の半球状突起部１１６からなる案内部１１２が設けられており、右可動翼片５６の上面に形成されている球受面５７のほぼ全面に６個の半球状突起部１１８からなる案内部１１４が設けられている。半球状突起部１１６は、左可動翼片５４の先端側５４ａから基部側５４ｂに向かって表面（ガラス板）側から裏面（遊技盤）側へ斜め方向に３個を１列にして形成されている。また、半球状突起部１１８は、右可動翼片５６の先端側５６ａから基部側５６ｂに向かって裏面側から表面側へ斜め方向に３個を１列にして形成されている。
【００５２】
このような構成により、案内部１１２では、遊技球が半球状突起部１１６に衝突し、配列された３個の半球状突起部１１６の延長線方向に沿って流下するため、球受面５５上の遊技球は裏面（遊技盤１３）側に誘導される。一方、案内部１１４では、遊技球が半球状突起部１１８に衝突し、配列された３個の半球状突起部１１８の延長線方向に沿って流下するため、球受面５７上の遊技球は表面（ガラス板１７）側に誘導される。
【００５３】
第２実施形態の改変例では、球受面５５には半球状突起部１１６が形成され、球受面５７には半球状突起部１１８が形成されているため、各遊技球は３個の半球状突起部１１６の延長線方向および３個の半球状突起部１１８の延長線方向に沿って遊技盤１３側とガラス板１７側とにそれぞれ誘導され、遊技盤１３とガラス板１７との間で偏位した状態になる。このため、各遊技球を開口５２へスムーズに案内させることができる。
【００５４】
なお、第２実施形態および第２実施形態の改変例では、球受面５５に遊技盤１３側へ案内する半円柱状突起部１０６および半球状突起部１１６を形成し、球受面５７にガラス板１７側へ案内する半円柱状突起部１０８および半球状突起部１１８を形成している。ここで、それぞれの球受面上にある各遊技球を互いに異なる方向に誘導させればよいため、例えば、左可動翼片５４の球受面５５に突起部を形成し、右可動翼片５６の球受面５７を突起部を有しない平坦面にしてもよい。
【図面の簡単な説明】
【図１】本発明の第１実施形態に係るパチンコ機の構成を示す正面図である。
【図２】本発明の第１実施形態に係るパチンコ機の遊技盤の構成を示す正面図である。
【図３】（Ａ）は、可動翼片が開いている状態を示す正面図であり、（Ｂ）は、可動翼片が閉じている状態を示す正面図である。
【図４】（Ａ）は、可動翼片が開いている状態を示すソレノイドの斜視図であり、（Ｂ）は、可動翼片が閉じている状態を示すソレノイドの斜視図である。
【図５】可動翼片に形成された球受面の構成を示す説明図である。
【図６】（Ａ）および（Ｂ）は、図３（Ａ）に示す６Ａ−６Ａ断面図である。
【図７】（Ａ）は、図３（Ａ）に示す６Ａ−６Ａ断面図であり、（Ｂ）は、図３（Ｂ）に示す７Ｂ−７Ｂ断面図である。
【図８】図７（Ｂ）に示す８Ｂ−８Ｂ縦断面図である。
【図９】（Ａ）は、第２実施形態の可動翼片の構成を示す斜視図であり、（Ｂ）は、球受面の構成を示す説明図である。
【図１０】（Ａ）は、第２実施形態の可動翼片の概略を示す説明図であり、（Ｂ）は、第２実施形態の改変例の可動翼片の概略を示す説明図である。
【図１１】（Ａ）は、第２実施形態の改変例の可動翼片の構成を示す斜視図であり、（Ｂ）は、第２実施形態の改変例の球受面の構成を示す説明図である。
【図１２】（Ａ）および（Ｂ）は、従来の可変入賞装置の側面を示す断面図である。
【図１３】（Ａ）、（Ｂ）および（Ｃ）は、従来の可変入賞装置の動作を示す説明図である。
【図１４】（Ａ）は、従来の可変入賞装置の構成を示す説明図であり、（Ｂ）は、図１３（Ｂ）の１４Ｂ−１４Ｂ断面図であり、（Ｃ）は、図１３（Ｃ）の１４Ｃ−１４Ｃ断面図である。
【符号の説明】
１０    パチンコ機（遊技機）
１３    遊技盤
１７    ガラス板
５０    可変入賞装置（入賞装置）
５２    開口
５４    左可動翼片（可動翼片）
５５    球受面
５６    右可動翼片（可動翼片）
５７    球受面
６０    ソレノイド（駆動源）
６６    カム（リンク機構）
８２    案内部
８４    案内部
８６    溝
８８    溝
９０    遊技球
９４    遊技球
９６    遊技球
１０２  案内部
１０４  案内部
１０６  半円柱状突起部（突起部）
１０８  半円柱状突起部（突起部）
１１２  案内部
１１４  案内部
１１６  半球状突起部（突起部）
１１８  半球状突起部（突起部）
【図１】
0003719977.tif 000002
【図２】
0003719977.tif 000003
【図３】
0003719977.tif 000004
【図４】
0003719977.tif 000005
【図５】
0003719977.tif 000006
【図６】
0003719977.tif 000007
【図７】
0003719977.tif 000008
【図８】
0003719977.tif 000009
【図９】
0003719977.tif 000010
【図１０】
0003719977.tif 000011
【図１１】
0003719977.tif 000012
【図１２】
0003719977.tif 000013
【図１３】
0003719977.tif 000014
【図１４】
0003719977.tif 000015